【手続補正書】
【提出日】平成16年8月4日(2004.8.4)
【手続補正１】
【補正対象書類名】明細書
【補正対象項目名】特許請求の範囲
【補正方法】変更
【補正の内容】
【特許請求の範囲】
【請求項１】
音響信号を入力して前記音響信号からオーディオデータファイルを作成する音素材入力手段、
前記音響信号の少なくとも１個の物理特性について前記オーディオデータファイルを分析して分析結果情報を作成する分析手段、
前記オーディオデータファイルの管理情報を入力する管理情報入力手段、
前記分析結果情報と前記管理情報とで参照コードデータを作成する参照コード作成手段、
編集作業者が参照コードデータを入力する参照コード入力手段、
参照コードデータを記憶する参照コード記憶手段、
参照コードデータを評価するファジイ関数のデータベースを記憶するメンバシップ関数記憶手段と前記参照コード入力手段若しくは前記参照コード作成手段により設定される参照コードデータに対応する前記ファジイ関数のデータベースによって前記参照コード記憶手段に記憶されている参照コードデータのグレードを評価するグレード評価手段と前記グレード評価手段の出力を演算し少なくとも一つのオーディオデータファイルを決定するグレード演算手段とを有し決定されたオーディオデータファイルを出力する参照コード比較手段、及び
前記参照コード比較手段の出力を表示する表示手段、
を具備するオーディオデータファイル分析処理装置。
【請求項２】
前記参照コード入力手段は、編集作業者が参照コードデータを入力することに代えて、編集作業者が音素材の感性表現を入力する感性入力手段と心理量と参照コードデータを対応させた心理物理対応関数のデータベースを記憶する心理物理対応関数記憶手段と前記心理物理対応関数のデータベースによって前記感性入力手段から入力された感性表現に対応する参照コードデータを決定する心理物理対応手段を有し、
さらに、前記オーディオデータファイル分析処理装置が、
編集作業者が検索結果に基づいて実際に音素材を聞いて判断した評価を入力する検索評価入力手段、
前記検索評価入力手段からの入力に基づき前記メンバシップ関数記憶手段あるいは前記心理物理対応関数記憶手段に記憶されているデータベースを更新する新たな関数モデルを構築する関数モデル構築手段、
を具備する請求項１に記載のオーディオデータファイル分析処理装置。
【請求項３】
さらに、記憶モードと検索モードを切り替えるモード切替手段を有し、
記憶モードの時、前記参照コード記憶手段が前記参照コード作成手段により作成された前記参照コードデータを記憶し、
検索モードの時、前記グレード評価手段が前記参照コードデータのグレードを評価する請求項１又は請求項２に記載のオーディオデータファイル分析処理装置。
【請求項４】
さらに、複数のオーディオデータファイルを記憶するライブラリ、
前記参照コード比較手段の出力であるオーディオデータファイルを前記ライブラリから特定するライブラリ制御手段、及び
前記ライブラリから出力されるオーディオデータファイルを再生する再生手段、
を具備する請求項１乃至請求項３のいずれかの請求項に記載のオーディオデータファイル分析処理装置。
【請求項５】
さらに、複数のオーディオデータファイルを記憶するライブラリ、
前記参照コード比較手段の出力であるオーディオデータファイルを前記ライブラリから特定するライブラリ制御手段、
前記ライブラリ制御手段により特定されたオーディオデータファイルの物理特性を所望の物理特性に変換するオーディオデータ処理手段、及び
前記オーディオデータ処理手段から出力されるオーディオデータを再生する再生手段、
を具備する請求項１乃至請求項３のいずれかの請求項に記載のオーディオデータファイル分析処理装置。
【請求項６】
音響信号を入力して前記音響信号からオーディオデータファイルを作成する音素材入力手段、
前記音響信号の少なくとも１個の物理特性について前記オーディオデータファイルを分析して分析結果情報を作成する分析手段、
前記オーディオデータファイルの管理情報を入力する管理情報入力手段、
前記分析結果情報と前記管理情報とで参照コードデータを作成する参照コード作成手段、
編集作業者が参照コードデータを入力する参照コード入力手段、
記憶モードと検索モードを切り替えるモード切替手段、
記憶モードの場合前記参照コード作成手段により作成される参照コードデータと前記音素材入力手段により作成されるオーディオデータファイルから新たにオーディオデータファイルを作成するオーディオデータファイル作成手段、
参照コードデータを評価するファジイ関数のデータベースを記憶するメンバシップ関数記憶手段と検索モードの場合前記参照コード入力手段若しくは前記参照コード作成手段により設定される参照コードデータに対応する前記ファジイ関数のデータベースによって前記オーディオデータファイル作成手段に記憶されているオーディオデータファイルのグレードを評価するグレード評価手段と前記グレード評価手段の出力を演算し少なくとも一つのオーディオデータファイルを決定するグレード演算手段とを有し決定されたオーディオデータファイルを出力する参照コード比較手段、
前記参照コード比較手段の出力を表示する表示手段、
複数のオーディオデータファイルを記憶するライブラリ、
前記オーディオデータファイル作成手段により作成されたオーディオデータファイルを前記ライブラリに記憶し、かつ前記参照コード比較手段の出力であるオーディオデータファイルを前記ライブラリから特定するライブラリ制御手段、
前記ライブラリ制御手段により前記ライブラリ制御手段により特定されたオーディオデータファイルの物理特性を所望の物理特性に変換するオーディオデータ処理手段、及び
前記オーディオデータ処理手段から出力されるオーディオデータを再生する再生手段、
を具備するオーディオデータファイル分析処理装置。
【請求項７】
前記参照コード入力手段は、編集作業者が参照コードデータを入力することに代えて、編集作業者が音素材の感性表現を入力する感性入力手段と心理量と参照コードデータを対応させる心理物理対応関数のデータベースを記憶する心理物理対応関数記憶手段と前記心理物理対応関数のデータベースによって前記感性入力手段から入力された感性表現に対応する参照コードデータを決定する心理物理対応手段を有する請求項６に記載のオーディオデータファイル分析処理装置。
【請求項８】
前記物理特性は、前記音響信号の継続時間である請求項１乃至請求項７のいずれかに記載のオーディオデータファイル分析処理装置。
【手続補正２】
【補正対象書類名】明細書
【補正対象項目名】０００４
【補正方法】削除
【補正の内容】
【手続補正３】
【補正対象書類名】明細書
【補正対象項目名】０００５
【補正方法】削除
【補正の内容】
【手続補正４】
【補正対象書類名】明細書
【補正対象項目名】０００６
【補正方法】削除
【補正の内容】
【手続補正５】
【補正対象書類名】明細書
【補正対象項目名】０００７
【補正方法】変更
【補正の内容】
【０００７】
本発明のオーディオデータファイル分析処理装置は、音響信号を入力して前記音響信号からオーディオデータファイルを作成する音素材入力手段、前記音響信号の少なくとも１個の物理特性について前記オーディオデータファイルを分析して分析結果情報を作成する分析手段、前記オーディオデータファイルの管理情報を入力する管理情報入力手段、前記分析結果情報と前記管理情報とで参照コードデータを作成する参照コード作成手段、編集作業者が参照コードデータを入力する参照コード入力手段、参照コードデータを記憶する参照コード記憶手段、参照コードデータを評価するファジイ関数のデータベースを記憶するメンバシップ関数記憶手段と前記参照コード入力手段若しくは前記参照コード作成手段により設定される参照コードデータに対応する前記ファジイ関数のデータベースによって前記参照コード記憶手段に記憶されている参照コードデータのグレードを評価するグレード評価手段と前記グレード評価手段の出力を演算し少なくとも一つのオーディオデータファイルを決定するグレード演算手段とを有し決定されたオーディオデータファイルを出力する参照コード比較手段、及び前記参照コード比較手段の出力を表示する表示手段、を具備する。以上のようにオーディオデータファイル分析処理装置を構成すれば、オーディオデータファイルを検索する場合にオーディオデータの有する物理特性を考慮に入れ、さらに検索条件にあいまいさをもたせてオーディオデータファイルを検索することができる。
【手続補正６】
【補正対象書類名】明細書
【補正対象項目名】０００８
【補正方法】削除
【補正の内容】
【手続補正７】
【補正対象書類名】明細書
【補正対象項目名】０００９
【補正方法】変更
【補正の内容】
【０００９】
本発明の他のオーディオデータファイル分析処理装置は、前記参照コード入力手段は、編集作業者が参照コードデータを入力することに代えて、編集作業者が音素材の感性表現を入力する感性入力手段と心理量と参照コードデータを対応させた心理物理対応関数のデータベースを記憶する心理物理対応関数記憶手段と前記心理物理対応関数のデータベースによって前記感性入力手段から入力された感性表現に対応する参照コードデータを決定する心理物理対応手段を有し、さらに、前記オーディオデータファイル分析処理装置が、編集作業者が検索結果に基づいて実際に音素材を聞いて判断した評価を入力する検索評価入力手段、前記検索評価入力手段からの入力に基づき前記メンバシップ関数記憶手段あるいは前記心理物理対応関数記憶手段に記憶されているデータベースを更新する新たな関数モデルを構築する関数モデル構築手段、を具備する。以上のようにオーディオデータファイル分析処理装置を構成すれば、オーディオデータファイルを検索する場合にオーディオデータの有する物理特性を考慮に入れ、検索条件にあいまいさをもたせて、かつ編集作業者の感性表現に基づいて所望のオーディオデータファイルを検索することができる。さらに、オーディオデータファイルの検索に学習機能を持たせることができ、より知的なデータベースに基づいた音素材の検索を行うことができる。
本発明のさらに他のオーディオデータファイル分析処理装置は、さらに、記憶モードと検索モードを切り替えるモード切替手段を有し、記憶モードの時、前記参照コード記憶手段が前記参照コード作成手段により作成された前記参照コードデータを記憶し、検索モードの時、前記グレード評価手段が前記参照コードデータのグレードを評価する。以上のようにオーディオデータファイル分析処理装置を構成すれば、任意の音素材について参照コードデータを作成することができる。
【手続補正８】
【補正対象書類名】明細書
【補正対象項目名】００１０
【補正方法】変更
【補正の内容】
【００１０】
本発明のさらに他のオーディオデータファイル分析処理装置は、さらに、複数のオーディオデータファイルを記憶するライブラリ、前記参照コード比較手段の出力であるオーディオデータファイルを前記ライブラリから特定するライブラリ制御手段、及び前記ライブラリから出力されるオーディオデータファイルを再生する再生手段、を具備する。以上のようにオーディオデータファイル分析処理装置を構成すれば、検索されたオーディオデータファイルの音素材を再生することができる。
【手続補正９】
【補正対象書類名】明細書
【補正対象項目名】００１１
【補正方法】削除
【補正の内容】
【手続補正１０】
【補正対象書類名】明細書
【補正対象項目名】００１２
【補正方法】削除
【補正の内容】
【手続補正１１】
【補正対象書類名】明細書
【補正対象項目名】００１３
【補正方法】削除
【補正の内容】
【手続補正１２】
【補正対象書類名】明細書
【補正対象項目名】００１４
【補正方法】削除
【補正の内容】
【手続補正１３】
【補正対象書類名】明細書
【補正対象項目名】００１５
【補正方法】削除
【補正の内容】
【手続補正１４】
【補正対象書類名】明細書
【補正対象項目名】００１６
【補正方法】変更
【補正の内容】
【００１６】
本発明のさらに他のオーディオデータファイル分析処理装置は、さらに、複数のオーディオデータファイルを記憶するライブラリ、前記参照コード比較手段の出力であるオーディオデータファイルを前記ライブラリから特定するライブラリ制御手段、前記ライブラリ制御手段により特定されたオーディオデータファイルの物理特性を所望の物理特性に変換するオーディオデータ処理手段、及び前記オーディオデータ処理手段から出力されるオーディオデータを再生する再生手段、を具備する。以上のようにオーディオデータファイル分析処理装置を構成すれば、ライブラリに記録されていないオーディオデータの場合でもライブラリに記録されているオーディオデータの物理特性を変換し、所望の音素材を出力することができる。
【手続補正１５】
【補正対象書類名】明細書
【補正対象項目名】００１７
【補正方法】削除
【補正の内容】
【手続補正１６】
【補正対象書類名】明細書
【補正対象項目名】００１８
【補正方法】削除
【補正の内容】
【手続補正１７】
【補正対象書類名】明細書
【補正対象項目名】００１９
【補正方法】削除
【補正の内容】
【手続補正１８】
【補正対象書類名】明細書
【補正対象項目名】００２０
【補正方法】削除
【補正の内容】
【手続補正１９】
【補正対象書類名】明細書
【補正対象項目名】００２１
【補正方法】削除
【補正の内容】
【手続補正２０】
【補正対象書類名】明細書
【補正対象項目名】００２２
【補正方法】変更
【補正の内容】
【００２２】
本発明のさらに他のオーディオデータファイル分析処理装置は、音響信号を入力して前記音響信号からオーディオデータファイルを作成する音素材入力手段、前記音響信号の少なくとも１個の物理特性について前記オーディオデータファイルを分析して分析結果情報を作成する分析手段、前記オーディオデータファイルの管理情報を入力する管理情報入力手段、前記分析結果情報と前記管理情報とで参照コードデータを作成する参照コード作成手段、編集作業者が参照コードデータを入力する参照コード入力手段、記憶モードと検索モードを切り替えるモード切替手段、記憶モードの場合前記参照コード作成手段により作成される参照コードデータと前記音素材入力手段により作成されるオーディオデータファイルから新たにオーディオデータファイルを作成するオーディオデータファイル作成手段、参照コードデータを評価するファジイ関数のデータベースを記憶するメンバシップ関数記憶手段と検索モードの場合前記参照コード入力手段若しくは前記参照コード作成手段により設定される参照コードデータに対応する前記ファジイ関数のデータベースによって前記オーディオデータファイル作成手段に記憶されているオーディオデータファイルのグレードを評価するグレード評価手段と前記グレード評価手段の出力を演算し少なくとも一つのオーディオデータファイルを決定するグレード演算手段とを有し決定されたオーディオデータファイルを出力する参照コード比較手段、前記参照コード比較手段の出力を表示する表示手段、複数のオーディオデータファイルを記憶するライブラリ、前記オーディオデータファイル作成手段により作成されたオーディオデータファイルを前記ライブラリに記憶し、かつ前記参照コード比較手段の出力であるオーディオデータファイルを前記ライブラリから特定するライブラリ制御手段、前記ライブラリ制御手段により前記ライブラリ制御手段により特定されたオーディオデータファイルの物理特性を所望の物理特性に変換するオーディオデータ処理手段、及び前記オーディオデータ処理手段から出力されるオーディオデータを再生する再生手段、を具備する。以上のようにオーディオデータファイル分析処理装置を構成すれば、任意の音素材についてライブラリに記録されるオーディオデータファイルを作成することができる。オーディオデータファイルを検索する場合にオーディオデータの有する物理特性を考慮に入れ、さらに検索条件にあいまいさをもたせたオーディオデータファイルを検索することができる。さらに、ライブラリに記録されていないオーディオデータの場合でもライブラリに記録されているオーディオデータの物理特性を変換することにより、所望の音素材を出力することができる。
【手続補正２１】
【補正対象書類名】明細書
【補正対象項目名】００２３
【補正方法】削除
【補正の内容】
【手続補正２２】
【補正対象書類名】明細書
【補正対象項目名】００２４
【補正方法】変更
【補正の内容】
【００２４】
本発明のさらに他のオーディオデータファイル分析処理装置は、前記参照コード入力手段は、編集作業者が参照コードデータを入力することに代えて、編集作業者が音素材の感性表現を入力する感性入力手段と心理量と参照コードデータを対応させる心理物理対応関数のデータベースを記憶する心理物理対応関数記憶手段と前記心理物理対応関数のデータベースによって前記感性入力手段から入力された感性表現に対応する参照コードデータを決定する心理物理対応手段を有する。以上のようにオーディオデータファイル分析処理装置を構成すれば、任意の音素材についてライブラリに記録されるオーディオデータファイルを作成することができる。オーディオデータファイルを検索する場合にオーディオデータの有する物理特性を考慮に入れ、検索条件にあいまいさをもたせて、かつ編集作業者の感性表現に基づいて所望のオーディオデータファイルを検索することができる。また、オーディオデータファイルの検索に学習機能を持たせることができ、より知的なデータベースに基づいた音素材の検索を行うことができる。さらに、ライブラリに記録されていないオーディオデータの場合でもライブラリに記録されているオーディオデータの物理特性を変換することにより、所望の音素材を出力することができる。